(57)【要約】一実施例では、装置のアクセス・ネットワークが、サービスエリアにわたって無線通信サービスを提供するように構成され、ブロードキャスト・マルチキャスト・システム（ＢＣＭＣＳ）をサポートするように構成される。アクセス・ネットワークは、少なくとも１つのＢＣＭＣＳフローを介して、サービスエリアにわたって少なくとも１つのブロードキャスト制御シグナリング・チャネル（ＢＣＣ）をブロードキャストするように構成される。少なくとも１つのＢＣＭＣＳフローはそれぞれ、フロー識別子によって識別される。アクセス・ネットワークは、アクセス端末によるフロー識別子登録に少なくとも一部基づいて、アクセス端末にシグナリング・メッセージを送信するために少なくとも１つのＢＣＣのうちの選択されたＢＣＣ、または別の制御チャネルを選択するように構成される。
2009545269.tif 000002
【特許請求の範囲】
【請求項１】
サービスエリアにわたって無線通信サービスを提供するように構成され、ブロードキャスト・マルチキャスト・システム（ＢＣＭＣＳ）をサポートするように構成されたアクセス・ネットワークを含む装置であって、
前記アクセス・ネットワークが、少なくとも１つのＢＣＭＣＳフローを介して前記サービスエリアにわたって少なくとも１つのブロードキャスト制御／シグナリング・チャネル（ＢＣＣ）をブロードキャストするように構成され、前記少なくとも１つのＢＣＭＣＳフローのそれぞれがフロー識別子によって識別され、
前記アクセス・ネットワークが、アクセス端末によるフロー識別子登録に少なくとも一部基づいて、アクセス端末にシグナリング・メッセージを送信するために前記少なくとも１つのＢＣＣのうちの選択されたＢＣＣ、または別の制御チャネルを選択するように構成される、装置。
【請求項２】
前記サービスエリアが、少なくとも１つのカバレッジ・ブロードキャスト・シグナリング・ゾーンを含み、
それぞれのカバレッジ・ブロードキャスト・シグナリング・ゾーンが、一意ゾーン識別子およびフロー識別子によって識別された、割り当てられたブロードキャスト・シグナリング・ゾーンを含み、
前記アクセス・ネットワークが、前記割り当てられたブロードキャスト・シグナリング・ゾーンの前記フロー識別子によって識別された、前記少なくとも１つのＢＣＭＣＳフローのうちのＢＣＭＣＳフローを介して、各カバレッジ・ブロードキャスト・シグナリング・ゾーンにわたって前記少なくとも１つのＢＣＣのうちの１つのＢＣＣをブロードキャストするように構成される、請求項１に記載の装置。
【請求項３】
前記少なくとも１つのカバレッジ・ブロードキャスト・シグナリング・ゾーンが、
第１の一意ゾーン識別子および第１のフロー識別子によって識別された第１の割り当てられたカバレッジ・ブロードキャスト・シグナリング・ゾーンを含む第１のカバレッジ・ブロードキャスト・シグナリング・ゾーンであって、前記アクセス・ネットワークが、前記第１のカバレッジ・ブロードキャスト・シグナリング・ゾーンにわたって第１のＢＣＭＣＳを介して第１のＢＣＣをブロードキャストする、第１のカバレッジ・ブロードキャスト・シグナリング・ゾーンと、
第２の一意ゾーン識別子および第２のフロー識別子によって識別された第２の割り当てられたカバレッジ・ブロードキャスト・シグナリング・ゾーンを含む第２のカバレッジ・ブロードキャスト・シグナリング・ゾーンであって、前記アクセス・ネットワークが、前記第２のカバレッジ・ブロードキャスト・シグナリング・ゾーンにわたって第２のＢＣＭＣＳを介して第２のＢＣＣをブロードキャストする、第２のカバレッジ・ブロードキャスト・シグナリング・ゾーンとを含み、
前記第１のカバレッジ・ブロードキャスト・シグナリング・ゾーンが、前記第２のカバレッジ・ブロードキャスト・シグナリング・ゾーンと部分的に重複し、
前記第１の割り当てられたブロードキャスト・シグナリング・ゾーンが、前記第２の割り当てられたブロードキャスト・シグナリング・ゾーンと重複せず、
前記第１のフロー識別子と前記第２のフロー識別子が互いに異なる、請求項２に記載の装置。
【請求項４】
前記少なくとも１つのカバレッジ・ブロードキャスト・シグナリング・ゾーンが、
第３の一意ゾーン識別子および第３のフロー識別子によって識別された第３の割り当てられたカバレッジ・ブロードキャスト・シグナリング・ゾーンを含む第３のカバレッジ・ブロードキャスト・シグナリング・ゾーンを含み、
前記第１のカバレッジ・ブロードキャスト・シグナリング・ゾーンが前記第３のカバレッジ・ブロードキャスト・シグナリング・ゾーンと重複せず、
前記第１のフロー識別子と前記第３のフロー識別子が同じ識別子を含む、請求項３に記載の装置。
【請求項５】
前記アクセス端末がカバレッジ・ブロードキャスト・シグナリング・ゾーン内に位置し、
前記第１のカバレッジ・ブロードキャスト・シグナリング・ゾーンが、第１の一意ゾーン識別子および第１のフロー識別子によって識別された第１の割り当てられたブロードキャスト・シグナリング・ゾーンを含み、前記第１のフロー識別子が、前記アクセス端末によって登録されたフロー識別子に対応し、
前記アクセス・ネットワークが、前記第１のフロー識別子が有効なフロー識別子を含む場合は、前記選択されたＢＣＣを介して前記アクセス端末に前記シグナリング・メッセージを送信するように構成され、
前記アクセス・ネットワークが、前記第１のフロー識別子がブランク・フロー識別子を含む場合は、前記別の制御チャネルを介して前記アクセス端末に前記シグナリング・メッセージを送信するように構成される、請求項２に記載の装置。
【請求項６】
前記アクセス・ネットワークが、少なくとも１つのカバレッジ・ブロードキャスト・シグナリング・ゾーンをサイズ調整し、かつ／または再構成するように構成される請求項２に記載の装置。
【請求項７】
前記アクセス・ネットワークは、少なくとも第１の搬送波および第２の搬送波を備えたマルチキャリア構成を含み、
前記アクセス・ネットワークが、前記第１の搬送波および前記第２の搬送波についてのベストエフォート・シグナリングのために前記ＢＣＣを使用する、請求項２に記載の装置。
【請求項８】
前記少なくとも１つのカバレッジ・ブロードキャスト・シグナリング・ゾーンが、前記ＢＣＣのソフトコンバイニングを可能にするために単一周波数ネットワーク効果を提供するように構成される、請求項２に記載の装置。
【請求項９】
ブロードキャスト・マルチキャスト・システム（ＢＣＭＣＳ）をサポートするアクセス・ネットワークのサービスエリアを、複数の重複するカバレッジ・ブロードキャスト・シグナリング・ゾーンに分割するステップであって、重複する各カバレッジ・ブロードキャスト・シグナリング・ゾーンが、割り当てられたブロードキャスト・シグナリング・ゾーンを含み、前記割り当てられたブロードキャスト・シグナリング・ゾーンが重複しない、ステップと、
割り当てられた各ブロードキャスト・シグナリング・ゾーンに一意ゾーン識別子およびフロー識別子を割り当てるステップと、
アクセス端末によるフロー識別子登録に基づいて、前記アクセス端末が位置するカバレッジ・ブロードキャスト・シグナリング・ゾーンを決定するステップと、
前記フロー識別子登録によって識別されるＢＣＭＣＳフローを介して、前記カバレッジ・ブロードキャスト・シグナリング・ゾーンへのブロードキャスト制御／シグナリング・チャネル上で前記アクセス端末にシグナリング・メッセージを送信するステップとを含む方法。
【請求項１０】
前記複数の重複するカバレッジ・ブロードキャスト・シグナリング・ゾーンの各ゾーンにわたって一意ブロードキャスト制御／シグナリング・チャネルをブロードキャストするステップをさらに含む、請求項９に記載の方法。
【発明の詳細な説明】
【技術分野】
【０００１】
本発明は、一般には、無線通信に関し、より詳細には、アクセス・ネットワーク内の無線シグナリングに関する。
【背景技術】
【０００２】
ボイス・オーバ・インターネット・プロトコル（ＶＯＩＰ：ｖｏｉｃｅ  ｏｖｅｒ  ｉｎｔｅｒｎｅｔ  ｐｒｏｔｏｃｏｌ）およびプッシュ・トゥ・トーク（ＰＴＴ：ｐｕｓｈ−ｔｏ−ｔａｌｋ）サービスを提供する無線サービス・プロバイダは、これらのおよび他のリアルタイム・アプリケーションおよびサービスを、現在の１Ｘベースの無線アクセス・ネットワークから、収束型の進化／データ最適化（ＥＶ−ＤＯ：ｅｖｏｌｕｔｉｏｎ−ｄａｔａ  ｏｐｔｉｍｉｚｅｄ）ベースの無線アクセス・ネットワーク（ＲＡＮ：ｒａｄｉｏ  ａｃｃｅｓｓ  ｎｅｔｗｏｒｋ）に移し始めている。ＥＶ−ＤＯベースＲＡＮ内のアイドル状態のアクセス端末（ＡＴ：ａｃｃｅｓｓ  ｔｅｒｍｉｎａｌ）へのシグナリング・メッセージはすべて、制御チャネル（ＣＣ：ＣｏｎｔｒｏｌＣｈａｎｎｅｌ）を通過し、多くのセクタを横断して送信される。たとえば、ＲｏｕｔｅＵｐｄａｔｅＲｅｑｕｅｓｔメッセージが、ＡＴの現在位置を見つけるためにアクセス・ネットワーク（ＡＮ：ａｃｃｅｓｓ  ｎｅｔｗｏｒｋ）によって無線ネットワーク制御装置（ＲＮＣ：ｒａｄｉｏ  ｎｅｔｗｏｒｋ  ｃｏｎｔｒｏｌｌｅｒ）のサービスエリア全体に送信された後には、ＡＴによって、ＤＯＳ（データ・オーバ・シグナリング）メッセージなどの別のメッセージが、ＡＴが良好なパイロット信号強度を有する複数のセクタに送信され得る。ＤＯＳメッセージは、アクセス端末が要求されたＲｏｕｔｅＵｐｄａｔｅメッセージを返すと、呼設定関連の情報、またはインスタンス・ショート・メッセージを運び得る。従来のページング戦略は、アクセス端末と接触しようとする第１の試みでは、最後に見られたアクティブ・セットにページ・メッセージを送信し、次の試みでは、ＲＮＣのサービスエリア全体に拡大し、その後に、数個の隣接ＲＮＣを結合するＲＮＣグループへのページ・メッセージが続く。約５０個のセル／１５０個のセクタを備えたＲＮＣでは、平均約５０個のセクタが、各セルへのページ・メッセージの送信に関与することがあり、第１の試みでは７０％〜７５％、ＲＮＣ内の第２の試みでは２４％〜２９％、ＲＮＣ群への第３の試みでは単に１％の成功率と見なされる。アクセス端末をページングする試みの成功率は、ＲＡＮ内の呼設定の平均応答時間を適切に表示するものである。第１のページングの成功率（この従来型ページング戦略では、約６０％−８０％にすぎない）を向上させる１つのやり方は、第１の試みにおいて、ＲＮＣ内の１５０個の全セクタをページングすることである。しかし、これは、１ＸベースＲＡＮには当てはまる専用ページング・チャネルをＥＶＤＯベースＲＡＮが有していないので、ＥＶＤＯベースＲＡＮの混雑時にあまりにも大量のネットワークリソースを使用することがある。
【０００３】
（たとえばデータ・オーバ・シグナリング、ＤＯＳを使用して）リアルタイム・アプリケーションの応答時間を減少させることが望ましい。しかし、ＥＶＤＯ  ＲＡＮでは、ＣＣは、７６．８ｋｂｐｓの最高レートで、各タイムスロットにせいぜい１６バイトの物理層データを送信することができる。したがって、一般的な１００バイトの「圧縮ＳＩＰ招待」（呼設定メッセージ）は、ＣＣが送信するのに７タイムスロットを要する。ＥＶＤＯベースＲＡＮは、その高速トラフィック／ブロードキャスト・チャネルに基づいて高速サービスを提供するので、より遅い制御チャネルによって使用されるタイムスロットがシステム性能全体を劣化させる。
【０００４】
ＥＶＤＯベースＲＡＮでのセクタ単位の１．２Ｋ混雑時呼試み（ＢＨＣＡ：ｂｕｓｙ  ｈｏｕｒ  ｃａｌｌ  ａｔｔｅｍｐｔ）（１００秒のホールドタイムを伴う３５  Ｅｒｌａｎｇ）で、５０セル／１５０セクタを備えたＲＮＣは、従来型ページング戦略が実施されると仮定して、あらゆるセクタから、制御チャネル・サイクル（ＣＣｃｙｃｌｅ：ＣｏｎｔｒｏｌＣｈａｎｎｅｌＣｙｃｌｅ）当たり５個超のページ・メッセージを送信する。１ＸベースＲＡＮではしばしば通常のやり方であるように、よりよい結果を求めて第１の試みでＲＮＣサービスエリア全体がページングされる場合、それはＣＣサイクル当たり約２０〜２５個のページ・メッセージである。このレートでは、システムは単に、リアルタイム・アプリケーション（ＰＴＴサービスなど）が望むように呼設定情報を直接ユーザに渡すためページ・メッセージの一部をＤＯＳメッセージ（データ・オーバ・シグナリング）に変換するだけの余裕がない。
【０００５】
（たとえば、１つまたは数個のセクタ程度に小さいゾーンのためのＲｏｕｔｅＵｐｄａｔｅＴｒｉｇｇｅｒＣｏｄｅを使用して）ユーザを追跡するゾーン・ベース方法を使用すると、シグナリング・メッセージ送信のために参加するセクタ数が制限されるので、一部のＣＣサイクルをエア・インターフェース・リソースから保存することができる。小さいゾーンがないならば、ゾーン境界の近くにほぼ静止しているアクセス端末はしばしば、それぞれ異なるゾーンに属するセクタ間で切り換わるときにゾーン間で「ピンポン」することがある。この場合、一部のＣＣサイクルは保存されているが、それによって、アクセス・チャネル（ＡＣ：ａｃｃｅｓｓ  ｃｈａｎｎｅｌ）に追加の負荷が課され、それは、システムのアクセス能力全体が影響を受けるほどに非常に重いことがある。
【先行技術文献】
【非特許文献】
【０００６】
【非特許文献１】「ＣＤＭＡ２０００  Ｈｉｇｈ  Ｒａｔｅ  Ｐａｃｋｅｔ  Ｄａｔａ  Ａｉｒ  Ｉｎｔｅｒｆａｃｅ  Ｓｐｅｃｉｆｉｃａｔｉｏｎ」（３ＧＰＰ２文献  Ｃ．Ｓ００２４）
【非特許文献２】「ＣＤＭＡ２０００  Ｈｉｇｈ  Ｒａｔｅ  Ｂｒｏａｄｃａｓｔ−Ｍｕｌｔｉｃａｓｔ  Ｐａｃｋｅｔ  Ｄａｔａ  Ａｉｒ  Ｉｎｔｅｒｆａｃｅ  Ｓｐｅｃｉｆｉｃａｔｉｏｎ」（３ＧＰＰ２文献Ｃ．Ｓ００５４）
【発明の概要】
【発明が解決しようとする課題】
【０００７】
したがって、シグナリング性能の向上、およびエア・インターフェース・リソースの効率的な使用が求められている。
【課題を解決するための手段】
【０００８】
一実装形態では、本発明は、一装置を包含する。この装置は、サービスエリアにわたって無線通信サービスを提供するように構成されたアクセス・ネットワークを備え、ブロードキャスト・マルチキャスト・システム（ＢＣＭＣＳ：ｂｒｏａｄｃａｓｔ  ｍｕｌｔｉｃａｓｔ  ｓｙｓｔｅｍ）をサポートするように構成される。アクセス・ネットワークは、少なくとも１つのＢＣＭＣＳフローを介して、サービスエリアにわたって少なくとも１つのブロードキャスト制御／シグナリング・チャネル（ＢＣＣ：ｂｒｏａｄｃａｓｔ  ｃｏｎｔｒｏｌ−ｓｉｇｎａｌｉｎｇ  ｃｈａｎｎｅｌ）をブロードキャストするように構成される。少なくとも１つのＢＣＭＣＳフローはそれぞれ、フロー識別子によって識別される。アクセス・ネットワークは、アクセス端末によるフロー識別子登録に少なくとも一部基づいて、アクセス端末にシグナリング・メッセージを送信するために少なくとも１つのＢＣＣのうちの選択されたＢＢＣ、または別の制御チャネルを選択するように構成される。
【０００９】
本発明の別の実装形態は、一装置を包含する。アクセス端末は、アクセス・ネットワークから無線通信サービスを受けるように構成される。アクセス・ネットワークは、ブロードキャスト・マルチキャスト・システム（ＢＣＭＣＳ）をサポートするように構成される。アクセス端末は、アクセス・ネットワークのカバレッジ・ブロードキャスト・シグナリング・ゾーン内に位置する。アクセス端末は、少なくとも１つのＢＣＭＣＳフロー識別子を含むブロードキャスト・オーバーヘッド・メッセージを受信するように構成される。ＢＣＭＣＳフロー識別子は、カバレッジ・ブロードキャスト・シグナリング・ゾーンに対応する第１のＢＣＭＣＳフロー識別子を含む。アクセス端末は、第１のＢＣＭＣＳフロー識別子を登録するように構成される。アクセス端末は、第１のＢＣＭＣＳフロー識別子によって識別されたＢＣＭＣＳフローを介してＢＣＣ上でシグナリング・メッセージを受信するように構成される。
【００１０】
本発明のさらなる実装形態は、一方法を包含する。ブロードキャスト・マルチキャスト・システム（ＢＣＭＣＳ）をサポートするアクセス・ネットワークのサービスエリアは、複数のカバレッジ・ブロードキャスト・シグナリング・ゾーンに分割される。それぞれのカバレッジ・ブロードキャスト・シグナリング・ゾーンは、割り当てられたブロードキャスト・シグナリング・ゾーンを含む。割り当てられた各ブロードキャスト・シグナリング・ゾーンに、一意ゾーン識別子およびフロー識別子が割り当てられる。アクセス端末が位置するカバレッジ・ブロードキャスト・シグナリング・ゾーンは、アクセス端末によるフロー識別子登録に基づいて決定される。シグナリング・メッセージは、ＢＣＭＣＳフローを介して、カバレッジ・ブロードキャスト・シグナリング・ゾーンへのブロードキャスト制御／シグナリング・チャネル上で送信される。ＢＣＭＣＳフローは、フロー識別子登録によって識別される。
【図面の簡単な説明】
【００１１】
本発明の例示的な実施形態の特徴は、この説明、特許請求の範囲、および添付の図面から明らかになる。
【図１】アクセス・ネットワークとアクセス端末とを含む装置の一実装形態を示す図である。
【図２】図１のアクセス・ネットワークの複数のセルの一実装形態を表しており、割り当てられたブロードキャスト・シグナリング・ゾーンおよびカバレッジ・ブロードキャスト・シグナリング・ゾーンを示す図である。
【図３】図２の割り当てられたブロードキャスト・シグナリング・ゾーンおよびカバレッジ・ブロードキャスト・シグナリング・ゾーンの別の実装形態を示す図である。
【図４】図２の装置の割り当てられたブロードキャスト・シグナリング・ゾーンおよびカバレッジ・ブロードキャスト・シグナリング・ゾーンを示す別の実装形態を示す１次元の図である。
【発明を実施するための形態】
【００１２】
図１に移ると、一実施形態の装置１００が、アクセス・ネットワーク１０２とアクセス端末（ＡＴ）１０４とを含んでいる。一実施例では、アクセス・ネットワーク１０２は、進化データ最適化（ＥＶＤＯ）無線通信ネットワークを含む。ＥＶＤＯネットワークの標準仕様は、「ＣＤＭＡ２０００  Ｈｉｇｈ  Ｒａｔｅ  Ｐａｃｋｅｔ  Ｄａｔａ  Ａｉｒ  Ｉｎｔｅｒｆａｃｅ  Ｓｐｅｃｉｆｉｃａｔｉｏｎ」（３ＧＰＰ２文献  Ｃ．Ｓ００２４）に記載されている。一実施例では、アクセス・ネットワーク１０２は、無線ネットワーク制御装置１０６と、複数のベース・トランシーバ局（ＢＴＳ：ｂａｓｅ  ｔｒａｎｓｃｅｉｖｅｒ  ｓｔａｔｉｏｎ）１０８、１１０、１１２および１１４とを含む。アクセス・ネットワーク１０２は、サービスエリア１１６にわたって、アクセス端末１０４に無線通信サービスを提供する。一実施例では、アクセス・ネットワーク１０２は、サービスエリア１１６内のアクセス端末１０４に、ブロードキャスト・マルチキャスト・サービス（ＢＣＭＣＳ：ｂｒｏａｄｃａｓｔ  ｍｕｌｔｉｃａｓｔ  ｓｅｒｖｉｃｅ）、または拡張ＢＣＭＣＳ（ＥＢＣＭＣＳ：ｅｎｈａｎｃｅｄ  ＢＣＭＣＳ）を提供する。ＢＣＭＣＳエア・インターフェースの標準仕様は、「ＣＤＭＡ２０００  Ｈｉｇｈ  Ｒａｔｅ  Ｂｒｏａｄｃａｓｔ−Ｍｕｌｔｉｃａｓｔ  Ｐａｃｋｅｔ  Ｄａｔａ  Ａｉｒ  Ｉｎｔｅｒｆａｃｅ  Ｓｐｅｃｉｆｉｃａｔｉｏｎ」（３ＧＰＰ２文献Ｃ．Ｓ００５４）に記載されている。
【００１３】
一実施例では、サービスエリア１１６は、サービスエリア１１６を細分する複数のセル１１８、１２０および１２２を含む。さらなる実施例では、セル１１８、１２０および１２２はさらに、複数のセクタ、たとえばセル当たり３つまたは６つのセクタに細分される。図１の実施例では、セル１１８は、セクタ１２４、１２６および１２８を含み、セル１２０は、セクタ１３０、１３２および１３４を含み、セル１２２は、セクタ１３６、１３８および１４０を含む。一実施例では、ＢＴＳは、複数のセルにわたり無線通信サービスを提供するように協力する。たとえば、セル１１８にサービスを提供するために、ＢＴＳ  １０８はセクタ１２４にわたって通信し、ＢＴＳ  １１０は、セクタ１２８にわたって通信し、ＢＴＳ  １１２はセクタ１２６にわたって通信する。
【００１４】
図２に移ると、一実施例では、アクセス・ネットワーク１０２によってサービスされるサービスエリア２０１の別の実装形態は複数のセクタに分割され、この図では、各セクタが六角形によって表されている。たとえば、サービスエリア２０１は、セクタ２０２〜２５２を含む（分かり易くするために、示された追加のセクタには番号が付けられていない）。サービスエリア２０１のセクタは、カバレッジ・ブロードキャスト・シグナリング・ゾーン（ＣＢＳＺ：ｃｏｖｅｒａｇｅ  ｂｒｏａｄｃａｓｔ  ｓｉｇｎａｌｉｎｇ  ｚｏｎｅ）、および割り当てられたブロードキャスト・シグナリング・ゾーン（ＡＢＳＺ：ａｓｓｉｇｎｅｄ  ｂｒｏａｄｃａｓｔ  ｓｉｇｎａｌｉｎｇ  ｚｏｎｅ）に編成される。それぞれのゾーンは、一意のゾーン識別子によって識別される関連した対、ＡＢＳＺとＣＢＳＺを含む。またそれぞれのＡＢＳＺは、本明細書に述べられるように、サービスエリアに使用可能なＢＣＭＣＳフロー識別子によって識別されたＢＣＭＣＳフローが割り当てられる。一実施例では、ＡＢＳＺは重複せず、それぞれのＡＢＳＺは、ＣＢＳＺによってカバーされる。一実施例では、ＣＢＳＺは、ＡＢＳＺと、ＡＢＳＺを囲むセクタとを含む。さらなる実施例では、ＣＢＳＺは、ＡＢＳＺと、ＡＢＳＺを囲むセクタの少なくとも１つの「層」を含む。
【００１５】
図２を参照すると、一実施例では、サービスエリア２０１は、各ＡＢＳＺがセクタである複数のＡＢＳＺに分割される。それぞれのＡＢＳＺは、ＣＢＳＺに関連付けられるが、分かり易くするために、ＣＢＳＺ  ２５４およびＣＢＳＺ  ２５６だけが示されている。ＣＢＳＺ  ２５４はセクタ２０２、２０４、２０６、２０８、２１０、２１２および２１４を含み、ただし、セクタ２０２が、その関連ＡＢＳＺである。セクタ２０４、２０６、２０８、２１０、２１２および２１４は、ＡＢＳＺ  ２０２を囲む第１のセクタ層を含む。ゾーン２０２を囲む第２のセクタ層は、セクタ２１６、２１８、２２０、２２２、２２４、２２６、２２８、２３０、２３２、２３４、２３６および２３８を含む。一代替実施例では、ＣＢＳＺは、ＡＢＳＺと、ＡＢＳＺを囲む第１のセクタ層と、ＡＢＳＺを囲む第２のセクタ層とを含んでもよい。一実施例では、ＣＢＳＺ  ２５６は、セクタ２４０、２４２、２４４、２４６、２４８、２５０および２５２を含み、ただしセクタ２４０が、その関連ＡＢＳＺである。
【００１６】
ＡＢＳＺは、ＡＢＳＺ間の重複なしにサービスエリア２０１を完全にカバーし、ＣＢＳＺは、対応するＡＢＳＺを囲む第１のセクタ層を含む。ＡＢＳＺ  ２０２を囲む第１のセクタ層は、セクタ２０４、２０６、２０８、２１０、２１２および２１４を含む。ＡＢＳＺ  ２０６を囲む第１のセクタの層は、セクタ２１８、２２０、２２２、２０８、２０２および２０４を含む。この実施例では、ゾーン２０２のＣＢＳＺは、ゾーン２０６のＣＢＳＺと部分的に重複する。この構成では、ＣＢＳＺの重複領域は、ソフトゾーン境界を含み、このソフトゾーン境界は、高データレート信号を達成するためにゾーン内のＡＴへの単一周波数ネットワーク（ＳＦＮ：ｓｉｎｇｌｅ  ｆｒｅｑｕｅｎｃｙ  ｎｅｔｗｏｒｋ）効果をもたらし、ゾーン境界の近くの静止ＡＴによる切換えからアクセス・チャネルを保護するために使用される。
【００１７】
一実施例では、アクセス・ネットワーク１０２は、少なくとも１つのブロードキャスト制御／シグナリング・チャネル（ＢＣＣ）をサービスエリア２０１にブロードキャストするように構成される。一実施例では、アクセス・ネットワーク１０２は、ＡＢＳＺ当たり１つのＢＣＣをブロードキャストするように構成される。一実施例では、それぞれのＡＢＳＺに、完全に独立しており、局所化されたブロードキャスト・マルチキャスティング（ＢＣＭＣＳ）フローが割り当てられる。アクセス・ネットワークは、ＡＢＳＺ内、またはＡＢＳＺのほんのわずか外側のアクセス端末に制御シグナリング・メッセージを渡すためにＢＣＣを用いるので、それは、制御／シグナリング・メッセージを運ぶブロードキャスト・チャネルのように動作するように見える。一実施例では、アクセス・ネットワーク１０２は、ＢＣＣ  ＢＣＭＣＳフローの生成のためのＢＣＭＣＳプログラム（たとえば、ＢＣＣオーバＢＳＺと名付けられる）を含み、ただし、ＢＣＭＣＳプログラムの下では、サービスエリアへの使用可能なＢＣＭＣＳフロー識別子のすべてが、ＢＣＭＣＳフローと見なされる。
【００１８】
現在のＢＣＭＣＳ標準仕様は、各ＢＣＭＣＳプログラムにつき最大６４個のＢＣＭＣＳフローを可能にし、エア・インターフェースは、最大６４個のＢＣＭＣＳ物理チャネルだけを可能にする。この装置の一実施例では、それぞれのＢＣＣは、可能なＢＣＭＣＳ物理チャネルのうちの１つに直接関連付けられる。このように、ありとあらゆる可能なＢＢＣを一意に識別するために、ＢＣＭＣＳＦｌｏｗＩＤ構造の標準形式の最下位６ビットである６ビット・フロー判別子を使用することができる（一実施例では、各ＢＣＣは、それが完全なＢＣＭＣＳフロー識別子、割り当てられたＢＣＭＣＳＦｌｏｗＩＤ構造を有するように、独立した局所化されたＢＣＭＣＳフローである。本発明の目的でなければ、ＢＣＭＣＳＦｌｏｗＩＤ中のフロー判別子の十分なビットだけが、ＢＣＣを識別するために使用される）。サービスエリア２０１が６４個より多いゾーンを含む場合、または６４個未満のフローを使用することが望ましい場合、アクセス・ネットワーク１０２は、ここでは各ＢＣＭＣＳフロー識別子が実際のＢＣＭＣＳ物理チャネルを指定し、基本の制御チャネル・サイクルを有する固定タイムスロットにマッピングするので、ＢＣＭＣＳフロー識別子を再使用しなければならない。一実施例では、アクセス・ネットワーク１０２は、各ＡＢＳＺにＢＣＭＣＳフロー識別子を割り当てるが、ＢＣＣ間の相互干渉を無視することができる場合は、互いから十分に遠く離れているＡＢＳＺのＢＣＭＣＳフロー識別子をも再使用する。図２を参照すると、一実施例ではアクセス・ネットワーク１０２は、ゾーン２０２（ＣＢＳＺ  ２５４のＡＢＳＺ）とゾーン２４０（ＣＢＳＺ  ２５６のＡＢＳＺ）について同じフロー識別子を再使用する。
【００１９】
一実施例では、アクセス・ネットワーク１０２は、アクセス端末１０４にシグナリング・メッセージを送信するためにＢＣＣを使用する。一実施例では、ＢＣＣは、制御チャネルを使用する標準のシグナリング・ルートに加えて、アクセス端末１０４への補足のシグナリング・ルートを含む。ＥＶＤＯベースのネットワークでは、制御チャネル（ＣＣ）は、制限された帯域幅を含み、たとえばそれは、７６．８キロビット／秒（ｋｂｐｓ）の最高レートで、各タイムスロット中にせいぜい１６バイトの物理層データを送信することができる。一実施例では、ＢＣＭＣＳフローは、最大２キロビットのデータ・パケット、および最大１．２メガビット／秒（Ｍｂｐｓ）の転送速度を可能にする。アクセス・ネットワーク１０２がシグナリング・メッセージ送信のためにＢＣＭＣＳフローを介してＢＣＣを使用する場合、標準ＥＶＤＯ制御チャネル・ベースのシグナリングに比べて遥かに高いデータレート（たとえば１６倍または２４倍）を達成することができる。
【００２０】
ＢＣＭＣＳフローによってより高い帯域幅が可能となるので、一実施例ではアクセス・ネットワーク１０２は、アクセス端末にメッセージを送信するために、データ・オーバ・シグナリング（ＤＯＳ）プロトコルをより効率的に使用することができる。一実施例では、アクセス・ネットワーク１０２は、ボイス・オーバ・インターネット・プロトコル（ＶＯＩＰ：ｖｏｉｃｅ  ｏｖｅｒ  ｉｎｔｅｒｎｅｔ  ｐｒｏｔｏｃｏｌ）やプッシュ・トゥ・トーク（ＰＴＴ：ｐｕｓｈ−ｔｏ−ｔａｌｋ）などのリアルタイム・アプリケーションのために「圧縮ＳＩＰ招待」タイプの呼設定メッセージをアクセス端末に送信して、それがページング・プロセスを完全に回避するのでアプリケーションのセッション設定プロセスを速める。一実施例では、アクセス・ネットワーク１０２は、アクセス端末１０４への呼設定関連情報の送信のためにＤＯＳプロトコルを使用して、（小さいサイズの）情報の配信を加速する。一実施例では、アクセス・ネットワーク１０２は、マルチキャリア構成を含み、たとえば、アクセス・ネットワークは、少なくとも第１および第２の搬送波を含む。この構成では、アクセス・ネットワーク１０２は、ＢＣＣを使用して、各搬送波（たとえば第１および第２の搬送波）についてベスト・エフォート（ＢＥ：ｂｅｓｔ  ｅｆｆｏｒｔ）メッセージの多くまたはすべてを送信してもよい。ベスト・エフォート・メッセージの例には、ＲｏｕｔｅＵｐｄａｔｅＲｅｑｕｅｓｔメッセージ、ＤＯＳ（データ・オーバ・シグナリング）メッセージおよびページ・メッセージが含まれる。
【００２１】
一実施例では、アクセス・ネットワーク１０２は、データ・パケットが、正常な制御チャネルによって各タイムスロット中に転送される１２８ビットより１６倍から２４倍大きいので、１０４などの複数のアクセス端末のための複数のシグナリング・メッセージをデータ・パケット内に置く。別の実施例では、アクセス・ネットワーク１０２は、伝送のビット誤り率を向上させる誤り訂正能力を加えるために、ＢＣＣのデータ・パケットにＲ−Ｓ符号化（ＢＣＭＣＳ仕様に記載）を使用する。１０４などのアクセス端末へのシグナリング・メッセージ用にタイムスロットのＢＣＭＣＳフローのデータ・パケット全体が使用されない場合は、別の実施例のアクセス・ネットワーク１０２は、連続したサイクルの冗長性のためにシグナリング・メッセージを複製する。図２の実施例は、各ゾーン（ＡＢＳＺ）がセクタを含むことを示しているが、実際には、ゾーン（ＡＢＳＺ）は、１つのセクタ、複数のセクタ、１つのセル、複数のセル、または１つの無線アクセス・ネットワークのいずれかを含んでもよい（より実際的には、ＣＢＳＺ自体がＲＮＣ全体となるように、本質的には１つのセクタであるＲＮＣ内のセクタすべてがＡＢＳＺを構成する）。
【００２２】
図３に移ると、アクセス・ネットワーク１０２によってサービスされるサービスエリア３０２の別の実装形態が示されている。図３では、六角形は、図２のセクタ２０２〜２５２に類似する個々のセクタを表しているが、分かり易くするために番号を付けていない。一実施例では、サービスエリア３０２は、それぞれが４つのセクタを含んでおり、４つのセクタを通る平行四辺形によって表されているＡＢＳＺ  ３０４、３０６、３０８、３１０、３１２、３１４、３１６、３１８および３２０を含む。図３の各ＡＢＳＺのＣＢＳＺは、ＡＢＳＺと、ＡＢＳＺを囲む第１のセクタの層とを含む。ＡＢＳＺ  ３０４は、ＡＢＳＺ  ３０４を囲む第１のセクタ層の１２個のセクタを通り抜ける平行四辺形によって表されたＣＢＳＺ  ２５６に対応する。
【００２３】
図３を参照すると、サービスエリア３０２が、９つのＡＢＳＺ  ３０４〜３２０を含んでいる。一実施例では、アクセス・ネットワーク１０２は、９つのＡＢＳＺ  ３０４〜３２０に、９つの異なるフロー識別子、たとえば、ＢＣＣ１、ＢＣＣ２、ＢＣＣ３、ＢＣＣ４、ＢＣＣ５、ＢＣＣ６、ＢＣＣ７、ＢＣＣ８およびＢＣＣ９を割り当てる。さらなる実施例では、サービスエリア３０２は、サービスエリア３０２を完全にカバーするために、９つのＡＢＳＺ  ３０４〜３２０の追加のインスタンスを含む。この実施例では、９つのＡＢＳＺ構造の追加の各インスタンスは、フロー識別子ＢＣＣ１〜ＢＣＣ９を再使用する。当業者には理解されるように、ＡＢＳＺ  ３０６、３０８、３１０、３１２、３１４、３１８および３２０は、同じＢＣＣ１フローを使用するＡＢＳＺ  ３０４の複数のインスタンスを、同じＢＣＣ1  ＢＣＭＣＳフロー識別子をやはり使用している他のＡＢＳＺとの干渉から分離するためのバッファ領域を提供する。
【００２４】
説明するため、装置１００の動作について例示的に述べられている。図４に移ると、別の実施形態の装置１００が、アクセス・ネットワーク４０２と、アクセス端末４０４と、位置４０８から位置４１０、次いで位置４１２に移動するアクセス端末４０６とを含む。アクセス・ネットワーク４０２は、ベース・トランシーバ・タワー（ＢＴＳ：ｂａｓｅ  ｔｒａｎｓｃｅｉｖｅｒ  ｔｏｗｅｒ）４１４、４１６、４１８、４２０、４２２、４２４、４２６、４２８、４３０および４３２を含む。一実施例のアクセス・ネットワーク４０２は、セルに分割されるサービスエリア４３４を含み、ただし各ＢＴＳが、１つのセルにサービスする。一実施例では、サービスエリア４３４は、複数のＣＢＳＺ  ４４６、４４８、４５０、４５２および４５４にそれぞれ対応する複数のＡＢＳＺ、たとえばＡＢＳＺ  ４３６、４３８、４４０、４４２および４４４を含む。
【００２５】
図４を参照すると、ＡＢＳＺ  ４３６が、ＢＴＳ  ４１４および４１６によってサービスされるセルを含んでおり、ゾーン識別子ＡＢＳＺ１およびＢＣＭＣＳフロー識別子ＢＣＣ１によって識別され、ＡＢＳＺ  ４３８は、ＢＴＳ  ４１８および４２０によってサービスされるセルを含み、ゾーン識別子ＡＢＳＺ２およびＢＣＭＣＳフロー識別子ＢＣＣ２によって識別され、ＡＢＳＺ  ４４０は、ＢＴＳ  ４２２および４２４によってサービスされるセルを含み、ゾーン識別子ＡＢＳＺ３およびＢＣＭＣＳフロー識別子ＢＣＣ３によって識別され、ＡＢＳＺ  ４４２は、ＢＴＳ  ４２６および４２８によってサービスされるセルを含み、ゾーン識別子ＡＢＳＺ４、および再使用されたＢＣＭＣＳフロー識別子ＢＣＣ１によって識別され、ＡＢＳＺ  ４４４は、ＢＴＳ  ４３０および４３２によってサービスされるセルを含み、ゾーン識別子ＡＢＳＺ５、および再使用されたＢＣＭＣＳフロー識別子ＢＣＣ２によって識別される。アクセス・ネットワーク４０２は、セル４１４、４１６および４１８を含むＣＢＳＺ  ４４６を介して、フロー識別子ＢＣＣ１を有するＢＣＭＣＳフローをブロードキャストする。ＣＢＳＺ  ４４８は、セル４１６、４１８、４２０および４２２を含む。ＣＢＳＺ  ４５０は、セル４２０、４２２、４２４および４２６を含む。ＣＢＳＺ  ４５２は、セル４２４、４２６、４２８および４３０を含む。ＣＢＳＺ  ４５４は、セル４２８、４３０および４３２を含む。
【００２６】
一実施例では、セル４１４〜４３２、ＡＢＳＺ  ４３６〜４４４、一意ゾーン識別子（ゾーンＩＤ）、ＣＢＳＺ  ４４６〜４５４、およびブロードキャスト・オーバーヘッド・メッセージ（ＢＯＭ：：ｂｒｏａｄｃａｓｔ  ｏｖｅｒｈｅａｄ  ｍｅｓｓａｇｅ）のＢＣＭＣＳフロー識別子（フローＩＤ）が、以下のように構成される。
【表１】
2009545269.tif 000003
【００２７】
たとえば、アクセス・ネットワーク４０２は、ＢＣＣ１によって識別されたＢＣＭＣＳフローを介してセル４１４、４１６および４１８にわたってＡＢＳＺ１用のＢＣＣをブロードキャストする。一実施例では、アクセス端末４０４および４０６は、ＢＣＭＣＳフローを受信するために、アクセス・ネットワーク４０２への登録を実施する。アクセス端末４０４および４０６は、サービング・セクタに使用可能なＢＣＭＣＳフローのＢＣＭＣＳフロー識別子を含むブロードキャスト・オーバーヘッド・メッセージ（ＢＯＭ）を受信する。一実施例では、ブロードキャスト・オーバーヘッド・メッセージは、３ＧＰＰ２  ＢＣＭＣＳ規格に記載されている。たとえば、アクセス端末４０４は、セル４１６の近くに位置し、フロー識別子ＢＣＣ１およびＢＣＣ２を含むＢＯＭを受信する。一実施例では、アクセス端末４０４は、どのセルがサービスをまず提供するかに基づいて、ＢＣＣ１またはＢＣＣ２を選択する。別の実施例では、アクセス端末４０４は、ＢＣＭＣＳプログラムの下では、ＢＯＭメッセージ内のＢＣＭＣＳフロー識別子の順序に基づいてＢＣＣを選択する。
【００２８】
アクセス端末４０４がＢＣＭＣＳフロー識別子を選択すると、一実施例ではアクセス端末４０４は、標準のＢＣＭＣＳフロー登録手順を使用して、ＢＣＭＣＳフロー識別子をアクセス・ネットワーク４０２に登録する。アクセス・ネットワーク４０２は、アクセス端末４０４によって登録されたフロー識別子を格納する。アクセス・ネットワーク４０２は、アクセス端末４０４からのＢＣＭＣＳ登録メッセージがそこから受信されるＣＢＳＺに対応するゾーン識別子をも決定し格納する。アクセス・ネットワーク４０２は、構成テーブルによって示されるように、登録されているＢＣＭＣＳフロー識別子と組み合わせて、登録メッセージを受信するセクタに基づいてＣＢＳＺを決定する。ＢＣＭＣＳフロー識別子を登録すると、アクセス端末４０４は、対応するＢＣＭＣＳフロー上のＢＣＣをリッスンし始める。一実施例では、アクセス端末４０４は、ＢＣＣ１フロー識別子を選択し、アクセス・ネットワーク４０２に登録する。この実施例では、アクセス端末４０４は、２つの異なるＡＢＳＺ（ＡＢＳＺ１およびＡＢＳＺ２）に属するセル４１６と４１８の間で切り換えてもよい。しかし、アクセス端末４０４は、どちらのセルがサービング・セルになっても、シグナリング・メッセージのＢＣＣ１を受信し続けることができる。アクセス端末４０４は、一度に１つのセルだけを監視し、２つセルのパイロットの強度がほぼ同じであるならば、２つのセル間で「切り換え」または「ピンポン」してもよい。ＢＣＣ１が両方のセル４１６および４１８から使用可能なので、アクセス端末４０４は、ソフトゾーン境界を横断するときに別のＢＣＭＣＳ登録を実施する必要がなく、それによって、当業者には理解されように、「ピンポン」効果がかなり減少し、または取り除かれる。
【００２９】
一実施例では、アクセス端末４０６は、位置４０８で、たとえばセル４１８内で電源投入される。一実施例では、アクセス端末４０６は、フロー識別子ＢＣＣ１が後に続くフロー識別子ＢＣＣ２を含むＢＯＭメッセージを受信する。この実施例では、アクセス端末４０６は、それがフロー識別子リスト内の最初にあるので、フロー識別子ＢＣＣ２を登録する。アクセス端末４０６は、位置４１０に移動する場合、セル４２０と４２２の間にある。たとえば信号強度の変化によりアクセス端末４０６がセル４２０と４２２の間で「ピンポン」し得る間、アクセス端末４０６は、それが移動したことをアクセス・ネットワーク４０２に通知せずに、ＢＣＣ２からのシグナリング・メッセージをリッスンし続けてもよい。さらに、セル４２０と４２２の両方がＢＣＭＣＳフローＢＣＣ２を介してＢＣＣをブロードキャストするので、一実施例ではアクセス端末４０６は、セル４２０から受信されたＢＣＣ２の信号を加え、あるいはセル４２２から受信されたＢＣＣ２の信号とソフトコンバイニングすることができる。これによって、アクセス端末は、標準の制御チャネルに対して非常に高データレートでシグナリング・メッセージを受信することができる。ソフトコンバイニング能力については、ＢＣＭＣＳ規格に記載されている。ＣＢＳＺ２のサービスエリアを構築するセル４１６、４１８、４２０および４２２からの信号は、当業者には理解されるように、シグナリング・メッセージをブロードキャストのためのより高いデータレートをＣＢＳＺ２内のどこでも達成することができるように、ＢＣＭＣＳフローＢＣＣ２のための単一周波数ネットワーク（ＳＦＮ：ｓｉｎｇｌｅ  ｆｒｅｑｕｅｎｃｙ  ｎｅｔｗｏｒｋ）を含む。
【００３０】
アクセス端末４０６は、位置４１２へ移動する場合、セル４２２を通過し、セル４２４に近づく。一実施例では、アクセス端末４０６は、アクセス・ネットワーク４０２から通知を受信すること、ＢＣＣ２がもはや使用可能ではない（すなわち、セル４２４によって送信された、より最近受信されたブロードキャスト・オーバーヘッド・メッセージ内にＢＣＣ２フロー識別子が見つからない）と決定することのいずれかが生じると、あるいはアクセス端末４０６がＢＣＣ２を介したＢＣＣの誤り率が所定のしきい値を超えると判断すると、ＢＢＣ３に切り換わる。一実施例では、アクセス端末４０６は現在、ＣＢＳＺ３の中心に近くにおり、ＣＢＳＺ３がこの時点でＢＣＣ３にとって良好なＳＦＮカバレッジを有するはずなので、セル４１８へ移動するまでＢＣＣ２フローに切り換わらない。
【００３１】
一実施例では、ゾーン境界近くの（アクセス端末が現在のＡＢＳＺを通過し、別のＡＢＳＺにわずかに入っている場合を含む）アクセス端末は、現在のＣＢＳＺ内でＢＢＣが依然として使用可能なので、その現在の選択されたＢＣＣからシグナリングを連続して受信することができる。これは、ゾーンのサービスエリア内でＳＦＮ効果を維持する助けとなり、また境界のちょうど近くの静止移動体による「ピンポン」効果を被ることなしにゾーン境界でアクセス・チャネルを保護する助けとなるソフトゾーン境界効果である。一実施例では、アクセス端末は、静止し、またはゆっくり移動している場合には、アクセス・ネットワークによって新しいＢＣＣへの切換えを指示され、あるいはアクセス端末が新しいゾーンの深くに移動するまで、新しいゾーンに割り当てられる新しいＢＣＣに切り換わる必要はない。この後者の場合は、速く移動するアクセス端末の場合に類似しており、たとえばそれは、通常のＥＶＤＯ制御チャネルによって運ばれた通常のブロードキャスト・オーバーヘッド・メッセージから、古いＢＣＣが新しいセクタによってもはや運ばれないことを知る。次いで、アクセス端末は、通常の制御チャネルからブロードキャスト・オーバーヘッド・メッセージによって指示されるように、シグナリングのための新しいＢＣＣを選ぶ。
【００３２】
一実施例では、アクセス・ネットワーク４０２は、フロー識別子が登録されると、アクセス端末４０４および４０６にシグナリング・メッセージをブロードキャストし始める。一実施例では、アクセス端末４０４および４０６は、シグナリング・メッセージを受信するために、（シグナリング・ネットワーク・プロトコルまたはＳＮＰを用いた）デフォルト・シグナリング・アプリケーションを使用する。アクセス端末４０４または４０６は、シグナリング・メッセージ求めてＢＣＣをリッスンし、それらは、ＳＮＰヘッダによって指定されるように、アクセス端末上でデフォルト・シグナリング・アプリケーションによって処理するために適切なプロトコル層にルーティングされる。
【００３３】
一実施例のアクセス・ネットワーク４０２は、アクセス・ネットワーク４０２内のゾーンまで、アクセス端末４０４および４０６を追跡することができる。一実施例では、これによって、アクセス・ネットワーク４０２は、シグナリング・メッセージを送信するための参加ゾーンを制限することができる。そうでない場合は、これらのシグナリング・メッセージはしばしば、次の再試行のために、使用される複数のセルまたはセクタに関して「四角に（ｓｑｕａｒｅｌｙ）」拡大される。次いで、アクセス・ネットワーク４０２は、（最後に見られたアクティブ・セットから無線ネットワーク制御装置、無線ネットワーク制御装置群へと従来の拡大手順を経るのではなく）第１の試みでＣＢＳＺ全体にブロードキャストすることによって、アクセス端末に達し、さらにＢＣＣと共にＤＯＳプロトコルを迅速に使用してアクセス端末に通知することができる。さらに、このゾーン・トラッキング特性は、シグナリング・メッセージに必要な帯域幅に基づいてゾーンのサイズを調整するために実際に使用することができる（たとえば、能力のあるアクセス端末の数が制限されており、ますます多くの移動体がＢＣＣを使用し始めるにつれてゾーンのサイズが小さくなる場合、早い解放で大きいゾーンを使用することができる）。
【００３４】
一実施例では、アクセス・ネットワーク４０２は、アクセス端末４０６によるフロー識別子登録に少なくとも一部分基づいて、アクセス端末にシグナリング・メッセージを送信するために少なくとも１つのＢＣＣのうちの選択されたＢＣＣ、または別の制御チャネル（たとえば標準ＥＶＤＯ制御チャネル）を選択するように構成される。一実施例では、アクセス・ネットワーク４０２は、アクセス端末によって登録されたフロー識別子が有効フロー識別子（たとえばＢＣＣ１、ＢＣＣ２など）を含む場合は、選択されたＢＣＣを介してアクセス端末にシグナリング・メッセージを送信するように構成される。さらなる実施例ではアクセス・ネットワーク４０２は、フロー識別子がＢＣＣ０などのブランク・フロー識別子を含む場合は、他の制御チャネルを介してアクセス端末にシグナリング・メッセージを送信するように構成される。一実施例では、アクセス・ネットワーク４０２は、ＢＣＣを介したシグナリングをサポートしないアクセス端末のために、ブランク・フロー識別子を使用する。
【００３５】
本発明の複数の代替実装形態がある。代替実施例のＡＢＳＺおよび／またはＣＢＳＺは、図２および３に示されるものとは異なる数のゾーンを含んでもよい。さらに、ＡＢＳＺおよび／またはＣＢＳＺは、同じアクセス・ネットワーク１０２または４０２内のそれぞれ異なるサイズおよび／または形状であってもよい。一実施例では、アクセス・ネットワーク１０２または４０２（あるいはそのオペレータ）は、ＡＢＳＺおよび／またはＣＢＳＺをサイズ変更し、または再構成してもよい。たとえば、互換性がある少数のアクセス端末を備えた配置を早く行うことによって、ＢＣＣを介したシグナリングが少なくなるので、より大きいゾーンを使用することができる。一実施例では、ＢＣＣを介して送信されるシグナリング・メッセージは、ＢＣＣをリッスンするアクセス端末が、低い受信品質を反映し得るいずれかのシグナリング・メッセージをそれが見落としたかどうか分かるように、増分する処理ＩＤを含む。一実施例では、アクセス・ネットワーク１０２および／または４０２によって実施される諸ステップは、無線ネットワーク制御装置（たとえばＲＮＣ  １０６）、無線基地局（たとえばＢＴＳ  １０８、１１０、１１２または１１４）あるいはその組合せによって実施される。
【００３６】
一実施例のアクセス・ネットワーク１０２および４０２は、単一周波数ネットワーク（ＳＦＮ）効果を達成するためにＣＢＳＺを介したＢＣＭＣＳを使用することによって、アクセス・ネットワーク１０２および４０２によって提供されたリアルタイム・アプリケーション／サービスのためのシグナリングを加速し、それによって、干渉を低減し、それぞれ異なるセクタからの信号のソフトコンバイニングを可能にする。一実施例では、信号のソフトコンバイニングによって、アクセス端末が非常に高いデータレートでシグナリング・メッセージを受信することが可能になる。一実施例では、アクセス・ネットワーク１０２および４０２は、アクセス端末の位置を突き止めるためにＡＢＳＺおよびＣＢＳＺゾーンを使用することによって、シグナリングのためにより少ないリソースを使用する。たとえば、フロー識別子登録を受信すると、アクセス・ネットワーク４０２は、登録メッセージがどのセクタまたはセルから来ているかに基づいて、アクセス端末がどのゾーンに位置するか決定することができる。これによって、アイドル状態のアクセス端末と接触するためにシグナリング・メッセージを送信しなければならないセクタの数が減少する。
【００３７】
一実施例では、アクセス・ネットワーク１０２および４０２は、通常のゾーン・ベース・ネットワークに関連する「ピンポン」効果を解決する。ゾーンの境界の近くのアクセス端末は、それぞれ異なるゾーンに属するセクタ間で切り換わるが、実際のゾーンを完全にカバーするＣＢＳＺの重複したシグナリング・エリアによって、「静止状態」または「ゆっくり移動する」アクセス端末が、現在監視されているＢＣＣ  ＢＣＭＣＳフローでとどまり、アクセス端末がゾーンの境界を通過し、別のゾーンに移動した場合でも中断せずにシグナリング・メッセージを受信することが可能となる。
【００３８】
一実施例では、アクセス・ネットワーク１０２および４０２は、各アクセス端末から見てＡＮが完全に後方互換性を有するように、ブロードキャスト制御／シグナリング・チャネルが通常の制御チャネルと共存することを可能にする。これは、ＢＣＣに対応していないアクセス端末（たとえば古いアクセス端末、またはモバイル・クライアント・ソフトウェアなしのアクセス端末）だけに当てはまるのではない。それは、ＢＣＣ対応のアクセス端末、特にＢＣＣサービスエリアのエッジに近い、または単にカバーされていないエリア内のアクセス端末についても当てはまる。したがって、アクセス端末は、いずれかのチャネルからシグナリング・メッセージを受信することを選択してもよい。これは、アクセス端末が、チャネルのブロードキャストにあまり有用でないエリア（たとえば非常に田舎のエリア、あるいはＲＮＣまたはアクセス・ネットワークのサービスエリアのエッジ）でシグナリング・メッセージを受信することを可能にする。サービスエリア境界に近いアクセス端末については、一実施例のアクセス・ネットワークは、通常のＣＣベースのシグナリングを使用する。さらに、ＢＣＣ対応のアクセス端末は、（たとえば誤り率検出によって）ＢＣＣに良好な受信を得ることができない場合、通常の制御チャネル・ベースのシグナリングを使用することを決定してもよい。別の実施例では、アクセス・ネットワークは、通常の制御チャネルを使用して、アクセス端末の最後のアクティブ・セットにシグナリング・メッセージを送信し、次いで、それに続いて、アクセス端末が位置するゾーンにブロードキャストする。この実施例では、サービスエリア全体にわたる拡大またはフラッディングは行われない。
【００３９】
一実施例のアクセス・ネットワーク１０２および４０２は、通常の制御チャネルを介してアクセス端末にメッセージ、たとえば基本のオーバーヘッド・メッセージおよび他のセクタ固有メッセージ（たとえばＳｅｃｔｏｒＰａｒａｍｅｔｅｒ、ＡｃｃｅｓｓＰａｒａｍｅｔｅｒなど）を送信し続ける。したがって、アクセス端末は、これらのメッセージを求めて、通常の制御チャネルを監視し続ける。
【００４０】
一実施例では、装置１００は、１つまたは複数の電子コンポーネント、ハードウェア・コンポーネント、およびコンピュータ・ソフトウェア・コンポーネントなど、複数のコンポーネントを含む。こうした複数のコンポーネントは、装置１００内で組み合わせ、または分割することができる。装置１００の例示的なコンポーネントは、当業者には理解されるように、任意の数のプログラミング言語で書かれ、または実装された１組および／または一連のコンピュータ命令を使用し、かつ／または含む。
【００４１】
本明細書に述べられた諸ステップまたは操作は例にすぎない。本発明の精神から逸脱せずに、これらのステップまたは操作に多くの変更を加えることができる。たとえば、諸ステップは、別の順序で実施してもよく、あるいはステップを追加し、削除しまたは修正してもよい。
【００４２】
本発明の例示的な実装形態について示し、本明細書で詳細に述べたが、本発明の精神から逸脱せずに様々な修正、追加、置換などを行うことができ、したがって、それらは、以下の特許請求の範囲に定義された本発明の範囲に含まれるものと見なされることが当業者には明らかである。
【図１】
2009545269.tif 000004
2009545269.tif 000005
【図２】
2009545269.tif 000006
2009545269.tif 000007
【図３】
2009545269.tif 000008
2009545269.tif 000009
【図４】
2009545269.tif 000010
2009545269.tif 000011
【国際調査報告】
2009545269.tif 000012
2009545269.tif 000013
2009545269.tif 000014